【手続補正書】
【提出日】平成25年5月14日(2013.5.14)
【手続補正１】
【補正対象書類名】特許請求の範囲
【補正対象項目名】全文
【補正方法】変更
【補正の内容】
【特許請求の範囲】
【請求項１】
土台を有する取り付けデバイスに固定された携帯用電子機器のためのセキュリティ装置であって、該セキュリティ装置は、
ヘッドであって、該ヘッドは、
筐体と、
該筐体内のゲート構造であって、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって内向きに該ゲート構造を付勢するように構成された付勢要素と、
該筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含み、該ゲート構造は、第１のゲート構造であり、該付勢要素は、第１の付勢要素であり、該セキュリティ装置は、第２のゲート構造と、第２の付勢要素とをさらに含み、該第１のゲート構造および該第２のゲート構造は、該ヘッド内において旋回不能に設置されており、該第１の付勢要素および該第２の付勢要素は、該係止構成要素が係止構成にある場合に該第１のゲート構造および該第２のゲート構造を、該土台に向かって、かつ互いに向かって付勢するように構成されている、ヘッドと、
該ヘッドに物理的に連結されたセキュリティデバイスと
を含み、
該セキュリティデバイスは、不動物体に固定されるように適合されている、セキュリティ装置。
【請求項２】
前記第１のゲート構造の一部は、前記第２のゲート構造の一部と重複する、請求項１に記載のセキュリティ装置。
【請求項３】
前記アクチュエータは、前記後方突出部を係合することによって前記第１のゲート構造を前記土台から離れるように移動させるように構成されている、請求項１に記載のセキュリティ装置。
【請求項４】
前記アクチュエータは、回すことによって前記第１のゲート構造を移動させるように構成されている、請求項３に記載のセキュリティ装置。
【請求項５】
前記アクチュエータは、カムである、請求項１に記載のセキュリティ装置。
【請求項６】
前記セキュリティデバイスは、ケーブルである、請求項１に記載のセキュリティ装置。
【請求項７】
前記不動物体は、デスクである、請求項６に記載のセキュリティ装置。
【請求項８】
携帯用電子機器を固定する取り付けデバイスであって、該取り付けデバイスは、
約８ｍｍの最大横寸法と、最大で約７．５ｍｍの高さとを含む土台であって、該土台は、
環構造と、
キャップ構造と、
該環構造と該キャップ構造との間に位置する凹部と
を有する、土台と、
該土台に取り付けられた係合部材と
を含み、
該係合部材は、該携帯用電子機器の開口部と係合するように構成されている、取り付けデバイス。
【請求項９】
前記係合部材は、ネジ式支柱を含み、該ネジ式支柱は、前記携帯用電子機器のシャーシにおけるネジ穴と係合するように構成されている、請求項８に記載の取り付けデバイス。
【請求項１０】
前記土台は、円滑表面を含む、請求項９に記載の取り付けデバイス。
【請求項１１】
前記土台は、円筒を含み、前記最大横寸法は、該土台の直径を含み、さらに、前記凹部は、該土台の円周の全てに延在する、請求項８に記載の取り付けデバイス。
【請求項１２】
前記係合部材は、前記携帯用電子機器の筐体における前記開口部を通して、該携帯用電子機器のシャーシと係合するように構成されている、請求項８に記載の取り付けデバイス。
【請求項１３】
携帯用電子機器のためのセキュリティ装置であって、該セキュリティ装置は、
取り付けデバイスであって、該取り付けデバイスは、
約８ｍｍの最大横寸法と、最大で約７．５ｍｍの高さとを含む土台であって、該土台は、
環構造と、
キャップ構造と、
該環構造と該キャップ構造との間に位置する凹部と
を有する、土台と、
該土台に取り付けられ、かつ、該携帯用電子機器の筐体における開口部と係合するように構成された係合部材と
を含む、取り付けデバイスと、
ヘッドであって、該ヘッドは、
筐体と、
該ヘッドの筐体内のゲート構造であって、該ゲート構造は、該取り付けデバイスに固定するように構成され、該ゲート構造は、内向きに傾斜した表面を有する前壁部分と、後壁部分と、該前壁部分および該後壁部分に接続されたブリッジ部分と、該後壁部分から延在する後方突出部とを含む、ゲート構造と、
該土台に向かって内向きに該ゲート構造を付勢するように構成された付勢要素と、
該ヘッドの筐体の内部の係止構成要素と、
該係止構成要素が係止解除構成にある場合に該後方突出部を係合するように構成されたアクチュエータであって、該アクチュエータは、該係止構成要素から延在する、アクチュエータと
を含む、ヘッドと
を含む、セキュリティ装置。
【請求項１４】
前記係合部材は、ネジ式支柱を含み、該ネジ式支柱は、前記携帯用電子機器のシャーシにおけるネジ穴と係合するように構成されている、請求項１３に記載のセキュリティ装置。
【請求項１５】
前記係合部材は、Ｔバーを含む、請求項１３に記載のセキュリティ装置。
【請求項１６】
前記ゲート構造は、第１のゲート構造であり、前記付勢要素は、第１の付勢要素であり、前記セキュリティ装置は、第２のゲート構造と、第２の付勢要素とをさらに含み、該第１の付勢要素および該第２の付勢要素は、前記係止構成要素が係止構成にある場合に該第１のゲート構造および該第２のゲート構造を前記土台に向かって付勢するように構成されている、請求項１３に記載のセキュリティ装置。
【請求項１７】
前記第１のゲート構造の一部は、前記第２のゲート構造の一部と重複する、請求項１６に記載のセキュリティ装置。
【請求項１８】
前記アクチュエータは、前記後方突出部を係合することによって前記ゲート構造を前記土台から離れるように移動させるように構成されている、請求項１３に記載のセキュリティ装置。
【手続補正２】
【補正対象書類名】明細書
【補正対象項目名】００１７
【補正方法】変更
【補正の内容】
【００１７】
本発明の別の実施形態は、筐体と、筐体に関連する固定要素と、筐体に関連する係止構成要素とを備える、取り付けデバイスと併用するための係止ヘッドであって、係止ヘッドは、固定要素を使用して、係止ヘッドの単一運動時に、取り付けデバイスに固定することが可能である、係止ヘッドを対象とする。
本願明細書は、例えば、以下の項目も提供する。
（項目１）
セキュリティ装置であって、
土台を備える取り付けデバイスと、
（ｉ）筐体と、（ｉｉ）該筐体内にあり、該土台に係合するように構成されるゲート構造と、（ｉｉｉ）該土台に向かって該ゲート構造を付勢するように構成される付勢要素と、（ｉｖ）該筐体の内部の係止構成要素とを備える、ヘッドと
を備える、セキュリティ装置。
（項目２）
前記ゲート構造は、第１のゲート構造であり、前記付勢要素は、第１の付勢要素であり、前記セキュリティ装置はさらに、第２のゲート構造と、第２の付勢要素とを備え、該第１および第２の付勢要素は、前記係止構成要素が係止構成状態であるときに、前記土台に向かって該第１および第２のゲート構造を付勢するように構成される、項目１に記載のセキュリティ装置。
（項目３）
前記ヘッドはさらに、前記筐体内にアクチュエータを備え、該アクチュエータは、前記土台から離れて前記ゲート構造を移動させるように構成される、項目１に記載のセキュリティ装置。
（項目４）
前記アクチュエータは、カムである、項目３に記載のセキュリティ装置。
（項目５）
前記取り付けデバイスは、前記土台に連結されるフックを備え、該取り付けデバイスは、約８ｍｍ×６ｍｍ×６ｍｍ未満の寸法を有する、項目１に記載のセキュリティ装置。
（項目６）
前記係止構成要素と連動するように構成されるキーをさらに備える、項目１に記載のセキュリティ装置。
（項目７）
前記付勢要素は、バネである、項目１に記載のセキュリティ装置。
（項目８）
手荷物と、
不動物体と、
該手荷物を該不動物体に固定する項目１に記載のセキュリティ装置と
を備える、セキュリティシステム。
（項目９）
前記手荷物は、ラップトップコンピュータである、項目８に記載のセキュリティシステム。
（項目１０）
前記手荷物は、筐体を有する携帯用電子機器を備え、前記筐体は、開口部を備え、前記取り付けデバイスは、該開口部内に存在する、項目８に記載のセキュリティシステム。
（項目１１）
前記手荷物は、シャーシを備え、前記取り付けデバイスは、該シャーシに取り付けられる、項目８に記載のセキュリティシステム。
（項目１２）
前記シャーシは、非ネジ式スロットまたはネジ式セクションのいずれかを備え、前記取り付けデバイスは、該非ネジ式スロットまたは該ネジ式セクションに取り付けられる、項目１１に記載のセキュリティシステム。
（項目１３）
携帯品と、該携帯品に取り付けられる取り付けデバイスとを取得することであって、該取り付けデバイスは、該携帯品から延在する土台を備える、ことと、
ヘッドを該取り付けデバイスに取り付けることであって、該ヘッドは、（ｉ）筐体と、（ｉｉ）該筐体内にあり、該土台に係合するように構成されるゲート構造と、（ｉｉｉ）該土台に向かって該ゲート構造を付勢するように構成される付勢要素と、（ｉｖ）該筐体の内部の係止構成要素とを備える、ことと
を含み、該係止構成要素は、該ヘッドが取り付けられた後、係止構成である、方法。
（項目１４）
前記取り付けデバイスを前記携帯品に取り付けることをさらに含む、項目１３に記載の方法。
（項目１５）
前記携帯品は、携帯用コンピュータである、項目１４に記載の方法。
（項目１６）
前記ゲート構造は、第１のゲート構造であり、前記付勢要素は、第１の付勢要素であり、前記セキュリティ装置はさらに、第２のゲート構造と、第２の付勢要素とを備え、該第１および第２の付勢要素は、前記係止構成要素が係止構成であるときに、前記土台に向かって該第１および第２のゲート構造を付勢するように構成される、項目１４に記載の方法。
（項目１７）
前記ヘッドはさらに、前記筐体内にアクチュエータを備え、該アクチュエータは、前記土台から離れて前記ゲート構造を移動させるように構成される、項目１４に記載の方法。
（項目１８）
前記付勢要素は、バネである、項目１３に記載の方法。
（項目１９）
前記取り付けデバイスは、前記土台に連結されるフックを備える、項目１３に記載の方法。
（項目２０）
取り付けデバイスであって、
キャップと、キャップ要素から延在する棒とを備える、キャップ要素と、
中心軸穴を備える環構造と、
係合部材であって、前記棒は、土台の前記中心軸穴を通って延在し、該係合部材に連結される、係合部材と
を備える、取り付けデバイス。
（項目２１）
取り付けデバイスであって、
約８ｍｍの最大横寸法を備える、土台と、
該土台に取り付けられる係合部材であって、携帯品と係合するように構成される、係合部材と
を備える、取り付けデバイス。
（項目２２）
前記係合部材は、前記携帯品のシャーシの中のネジ穴と係合するように構成される、ネジ式支柱を備える、項目２１に記載の取り付けデバイス。
（項目２３）
前記係合部材は、前記携帯品の前記シャーシの中の開口部と係合するように構成される、カムを備える、項目２１に記載の取り付けデバイス。
（項目２４）
前記土台は、最大で約７．５ｍｍの高さを有する、項目２１に記載の取り付けデバイス。
（項目２５）
項目２１に記載の取り付けデバイスを使用する方法であって、
該取り付けデバイスに係止ヘッドを取り付けることを含み、該係止ヘッドは、該係止ヘッドが取り付けられた後、係止構成である、方法。
（項目２６）
携帯品を固定する際に使用するための取り付けデバイスであって、
円筒を備える土台であって、固定要素を受容するように凹部を有する、土台と、
該土台に取り付けられる係合部材であって、ネジ式支柱を備える係合部材と
を備える、取り付けデバイス。
（項目２７）
前記土台は、直径を有する円筒形状を備え、前記凹部は、該土台の直径全体に延在する、項目２６に記載の取り付けデバイス。
（項目２８）
前記土台は、実質的に平坦な端部と、該実質的に平坦な端部と反対側に実質的にテーパ端部とを備える、項目２７に記載の取り付けデバイス。
（項目２９）
前記土台の前記テーパ端部は、ソケットを含み、該ソケットは、外部回転構造を受容するように構成される、項目２８に記載の取り付けデバイス。
（項目３０）
前記土台の前記テーパ端部は、円滑表面を備える、項目２８に記載の取り付けデバイス。
（項目３１）
前記土台は、環構造と、キャップ構造とを備え、さらに、前記凹部は、該環構造と該キャップ構造との間に位置する、項目２７に記載の取り付けデバイス。
（項目３２）
前記ヘッドは、約６〜１０ｍｍの直径を有する、項目２６に記載の取り付けデバイス。
（項目３３）
項目２６に記載の取り付けデバイスを使用する方法であって、
該取り付けデバイスに係止ヘッドを取り付けることであって、該係止ヘッドは、該係止ヘッドが取り付けられた後、係止構成である、ことを含む方法。
（項目３４）
方法であって、
携帯品と、該携帯品に取り付けられる取り付けデバイスとを取得することであって、該携帯品から延在する土台を備える、ことと、
単一動作によって、該取り付けデバイスにヘッドを取り付けることと
を含み、該ヘッドは、筐体と、該筐体の内部に係止構成要素とを備え、さらに、該係止構成要素は、該ヘッドが取り付けられた後、係止構成である、方法。
（項目３５）
前記係止構成要素が係止構成であるように、前記ヘッドを前記取り付けデバイスに取り付けることは、キーを使用することなく、該ヘッドを取り付けることを含む、項目３４に記載の方法。
（項目３６）
前記ヘッドは、前記係止構成要素が前記係止構成であることを示すように音を発する、項目３４に記載の方法。
（項目３７）
前記単一動作は、前記ヘッドを前記土台に向かって滑動させる単一線形動作を含む、項目３４に記載の方法。
（項目３８）
前記携帯品を取得する前に、前記取り付けデバイスを前記携帯品に固定することをさらに含む、項目３４に記載の方法。
（項目３９）
前記取り付けデバイスを固定することは、前記土台に取り付けられたネジ式支柱が前記携帯品の前記筐体の中のネジ穴と螺合可能に係合されるように、前記土台を回転させることを含む、項目３８に記載の方法。
（項目４０）
前記取り付けデバイスを固定することは、
前記土台の係合部材を前記携帯品の前記筐体の開口部へ挿入することと、
前記取り付けデバイスの中の連結要素を締め付けることと
を含む、項目３８に記載の方法。
（項目４１）
セキュリティシステムであって、
筐体と、該筐体内に配置されるシャーシとを有する、携帯品と、
該携帯品に取り付けられる取り付けデバイスであって、該取り付けデバイスは、該筐体の穴を通って該シャーシに取り付けられる、該取り付けデバイスと
を備える、セキュリティシステム。
（項目４２）
前記取り付けデバイスは、前記筐体の縁を越えて延在しない、項目４１に記載のセキュリティシステム。
（項目４３）
前記取り付けデバイスは、前記筐体の縁を最大で３ｍｍ越えて延在する、項目４１に記載のセキュリティシステム。
（項目４４）
前記セキュリティシステムは、
前記筐体の中にあり、前記穴を包囲する空洞をさらに備え、前記取り付けデバイスは、該空洞内に配置される、項目４１に記載のセキュリティシステム。
（項目４５）
前記穴は、前記シャーシの一部を露出する、項目４１に記載のセキュリティシステム。
（項目４６）
前記取り付けデバイスは、前記シャーシのネジ穴と螺合可能に係合するネジ式支柱を備える、項目４１に記載のセキュリティシステム。
（項目４７）
前記穴は、前記シャーシの前記ネジ穴と整合されるネジ穴を備える、項目４６に記載のセキュリティシステム。
（項目４８）
前記穴は、前記シャーシの前記ネジ穴と整合される非ネジ穴を備える、項目４６に記載のセキュリティシステム。
（項目４９）
項目４１に記載のセキュリティシステムを固定する方法であって、
前記取り付けデバイスに係止ヘッドを取り付けることを含み、該係止ヘッドは、該係止ヘッドが取り付けられた後、係止構成である、方法。
（項目５０）
取り付けデバイスと併用するための係止ヘッドであって、
筐体と、
該筐体と関連付けられる固定要素と、
該筐体と関連付けられる係止構成要素であって、該係止ヘッドは、該固定要素を使用して、該係止ヘッドの単一運動時に、該取り付けデバイスに固定することが可能である、係止構成要素と
を備える、係止ヘッド。
（項目５１）
前記固定要素は、前記係合器具と係合するための凹部を備える、項目５０に記載の係止ヘッド。
（項目５２）
前記係止ヘッドの前記単一運動は、単一線形動作を含む、項目５０に記載の係止ヘッド。